(57)【要約】【課題】本発明は、洗濯機が容易に移動出来、排水口や洗濯機下部等の清掃やメンテナンスが容易に出来、洗濯機の据付や撤去も容易に出来る洗濯機用防水パンを提供することを可能にすることを目的としている。【解決手段】洗濯機４を載置すると共に排水管５以外からの水を受ける水受けパン２と、設置床面７に固定されると共に排水口６に連結され、且つ洗濯機４の排水管５からの排水を受ける排水受けパン３とが分離して設けられ、水受けパン２の水が排水受けパン３の開口範囲内に流下するように配置され、該水受けパン２に設けられたキャスター８により該水受けパン２が設置床面７に対して移動可能に構成されたことを特徴とする。【選択図】      図１
2004256999.tif 000002
【特許請求の範囲】
【請求項１】
洗濯機を載置したとき、該洗濯機の排水管以外からの水を受ける水受けパンと、
排水口に連結され、前記洗濯機の排水管からの排水を受ける排水受けパンと、
を有し、
前記水受けパンと前記排水受けパンとが分離されると共に、該水受けパンの水が前記排水受けパンの開口範囲内に流下するように配置され、該水受けパンが設置床面に対して移動可能に設けられることを特徴とする洗濯機用防水パン。
【発明の詳細な説明】
【０００１】
【発明の属する技術分野】
本発明は、洗濯機、特に全自動洗濯機を載置する洗濯機用防水パンに関するものである。
【０００２】
【従来の技術】
最近の全自動洗濯機では大容量化に伴って重量が増大し、全自動洗濯機用の防水パンでは、洗濯機を設置する床面に強固に固定されると共に、洗濯機の足を載せる台が防水パンの角部に４箇所設けられ、その防水パンの内部に排水用のトラップが設けられ、防水パンに半固定された状態でトラップから突出した接続管に洗濯機の伸縮ホースを接続してクリップ等で留められるものが一般である。
【０００３】
また、洗濯機用防水パンの梱包を合理化するために、嵌合用凹部を設けて多数個を段積み出来るように構成したものもある（例えば、特許文献１参照。）。
【０００４】
【特許文献１】
特開２００１−２７１３９７号公報
【０００５】
【発明が解決しようとする課題】
一般にトラップ位置は排水管の立ち上げ位置により規定され、一方、防水パン位置は建物側の内装壁位置により決定されてしまう。従って、防水パンは一般にトラップ部と防水パンが一体となっている構造のために排水管の芯出しは融通性が無く正確な芯出しを要求される。
【０００６】
しかしながら、前述の従来例では、洗濯機を防水パン上に設置する際に、先ず防水パンの上に重量の有る洗濯機を載せ、左側或いは右側に設けられたトラップから突出した接続管に壁との狭い隙間で洗濯機の伸縮ホースを接続するか、若しくはトラップから突出した接続管に洗濯機の伸縮ホースを接続した状態で、その接続が外れないように注意しながら防水パンの上に重量の有る洗濯機を載せるという面倒な設置作業を強いられていた。
【０００７】
洗濯機の設置作業や伸縮ホースの接続作業の余裕を持たせようとすると防水パンの奥行きや幅を余分に大きくしなければならず洗濯機の設置スペースが大きくなってデッドスペースが増大するという問題がある。
【０００８】
また、洗濯機の伸縮ホースからの水垂れを考慮して防水パンが洗濯機の側面から突出して設けられるためトラップから突出した接続管に洗濯機の伸縮ホースを接続し難いという問題もある。
【０００９】
また、重量のある全自動洗濯機を防水パン上に一旦設置すると、全自動洗濯機の洗濯槽の下面が下方に突出した構造であり、また防水パンの周辺が立ち上がった構造であるため、防水パン上やトラップに溜まった糸屑や毛髪や埃り等を清掃したりメンテナンスを行うことが実質的に殆ど出来ないという問題があった。
【００１０】
本発明は前記課題を解決するものであり、その目的とするところは、洗濯機が容易に移動出来、排水口や洗濯機下部等の清掃やメンテナンスが容易に出来、洗濯機の据付や撤去も容易に出来る洗濯機用防水パンを提供せんとするものである。
【００１１】
【課題を解決するための手段】
前記目的を達成するための本発明に係る洗濯機用防水パンは、洗濯機を載置したとき、該洗濯機の排水管以外からの水を受ける水受けパンと、排水口に連結され、前記洗濯機の排水管からの排水を受ける排水受けパンとを有し、前記水受けパンと前記排水受けパンとが分離されると共に、該水受けパンの水が前記排水受けパンの開口範囲内に流下するように配置され、該水受けパンが設置床面に対して移動可能に設けられることを特徴とする。
【００１２】
本発明は、上述の如く構成したので、洗濯機を載置した水受けパンを設置床面に対して移動して洗濯機を排水受けパンから容易に退避させることが出来、排水口や洗濯機下部等の清掃やメンテナンスが容易に出来る。
【００１３】
洗濯機を載置した水受けパンがホームポジションに位置する状態で、該水受けパンの水が排水受けパンの開口範囲内に流下するように配置されるため、分離された水受けパンで受けた漏水、飛散水或いは結露水等の洗濯機の排水管以外からの水を排水受けパンが受け、該排水受けパンに連結された排水口に排水することが出来る。
【００１４】
水受けパンは該水受けパンを設置床面に対して移動可能な移動手段が設けられる。移動手段としてはキャスター等の車輪やキャタピラ、或いは球体を回転自在に支持したもの、更にはレールに沿って引き出し可能に支持されたもの等の各種の移動手段を用いることが出来る。
【００１５】
特に洗濯槽或いは脱水槽の回転振動により水受けパンが移動しないようにストッパ手段を設ければ好ましい。また、排水受けパンに対する水受けパンの位置決め手段を設ければ好ましい。
【００１６】
例えば、水受けパンの奥側に移動手段となる車輪を設け、前面側にストッパ手段となるゴムや樹脂製の脚部材を設けることも出来る。
【００１７】
【発明の実施の形態】
図により本発明に係る洗濯機用防水パンの一実施形態を具体的に説明する。図１は本発明に係る洗濯機用防水パンの第１実施形態の構成を示す斜視説明図、図２及び図３は本発明に係る洗濯機用防水パンの第１実施形態の構成を示す断面説明図、図４（ａ）は第１実施形態において洗濯機の排水管からの排水を受ける排水受けパンと、洗濯機を載置し、洗濯機の排水管以外からの水を受ける水受けパンとの位置決めを行う位置決め手段及びストッパ手段の構成を示す斜視説明図、図４（ｂ）は図４（ａ）のＡ−Ａ断面説明図である。
【００１８】
先ず、図１〜図５を用いて本発明に係る洗濯機用防水パンの第１実施形態の構成について説明する。図１〜図５において、本発明に係る洗濯機用防水パン１は、洗濯機４を載置したとき該洗濯機４の排水管５以外からの漏水、飛散水或いは結露水等の水を受ける水受けパン２と、排水口６に連結され、洗濯機４の排水管５からの排水を受ける排水受けパン３とが分離されて構成されたものである。
【００１９】
排水受けパン３は施工時に設置床面７に固定して設置されるが、水受けパン２はその４隅に配置された移動手段となるキャスター８により設置床面７に対して移動可能に設けられている。本実施形態では、排水受けパン３は洗濯機４本体の幅寸法よりも小さく、水受けパン２に内包される大きさで構成されている。
【００２０】
設置床面７上で排水受けパン３の両側には、図４に示すように、位置決め手段となる水受けパン用レール９が設けられており、水受けパン２に設けられたキャスター８がこの水受けパン用レール９に沿って転がり移動することにより水受けパン２が排水受けパン３に対して位置合わせが保証される。
【００２１】
水受けパン用レール９の始端部には水受けパン２に設けられたキャスター８が設置床面７から水受けパン用レール９へ、或いは水受けパン用レール９から設置床面７へ容易に転がり移動出来るように傾斜面からなるスロープ９ａが形成されており、該水受けパン用レール９の側端部にはキャスター８の転がり移動をガイドする起立片９ｂが設けられており、更に該水受けパン用レール９の終端部にはキャスター８の転がり移動を制止するストッパ手段となる起立片９ｃが設けられている。
【００２２】
また、水受けパン用レール９の始端部及び終端部には、洗濯機４を載置した水受けパン２が図１及び図２に示すホームポジションに位置する状態で、キャスター８が落とし込まれるストッパ手段となるキャスター受け溝９ｄが設けられており、水受けパン用レール９の始端部の起立片９ｂに形成された孔９ｂ１にはストッパ手段となるピン１０が挿通し得るようになっている。起立片９ｃ及びピン１０等により洗濯機４の振動で水受けパン２が動くのを防止することが出来る。
【００２３】
水受けパン用レール９は設置床面７に対して振動、衝撃、騒音等の発生を防止するためのゴムシート等の緩衝部材１１を介してビス１２等の固定手段により固定されている。
【００２４】
排水口６には回転可能に設けられたエルボ５ａが設けられており、洗濯機４の排水管５は排水口６に設けられたエルボ５ａに接続されてクリップ等の係止部材により係止されている。本実施形態の排水管５は伸縮自在な蛇腹ホースにより構成されている。
【００２５】
水受けパン２の底面２ｂの奥側端部には方形切欠き状の排水開口部２ａが設けられており、洗濯機４を載置した水受けパン２が図１及び図２に示すホームポジションに位置する状態で、該水受けパン２の排水開口部２ａが排水受けパン３の開口範囲内に配置されるように構成されている。これにより、該水受けパン２の水が排水受けパン３の開口範囲内に流下するようになっている。
【００２６】
洗濯機４を載置する水受けパン２の底面２ｂは排水開口部２ａに向かって下方に傾斜しており、これにより水受けパン２の水が排水受けパン３の開口範囲内に容易に流下するようになっている。また、排水受けパン３の底面３ａも排水口６に向かって下方に傾斜しており、これにより排水受けパン３の水がスリット１３を介して排水口６に容易に流下するようになっている。
【００２７】
これにより分離された水受けパン２で受けた漏水、飛散水或いは結露水等の洗濯機４の排水管５以外からの水を排水受けパン３が受け、該排水受けパン３に連結された排水口６に排水することが出来る。
【００２８】
排水口６や洗濯機４の下部等の清掃やメンテナンスを行う場合には、図３に示すように、洗濯機４を載置した水受けパン２を水受けパン用レール９に沿って前面側（図３の左側）方向に設置床面７に対して移動して洗濯機４を排水受けパン３から容易に退避させることが出来、洗濯機４を退避させた状態で広い空間に露出させた排水口６や洗濯機４が設置されていた下部等の清掃やメンテナンスが容易に出来る。
【００２９】
水受けパン用レール９には、水受けパン２が図２に示すホームポジションに位置するときに、該水受けパン２に設けられたキャスター８を落とし込むストッパー手段であって位置決め手段を兼ねるキャスター受け溝９ｄが設けられており、洗濯機４を載置した水受けパン２を奥側（図２の右側）方向に設置床面７に対して移動してホームポジション位置に戻すと、キャスター８がキャスター受け溝９ｄに落ち込んで位置決めされると共に安定して設置される。
【００３０】
更にピン１０を水受けパン用レール９の孔９ｂ１に挿通することで、キャスター８がストッパー手段であって位置決め手段を兼ねる起立片９ｃ及びピン１０により制止されて位置決めされると共に安定して設置される。
【００３１】
これにより、洗濯機４の洗濯槽或いは脱水槽の回転振動等により水受けパン２が移動することを防止することが出来る。尚、キャスター８自体にストッパー手段としての係止手段を設けても良い。
【００３２】
上記構成により、図３に示すように、水受けパン２を引き出した状態で洗濯機４の載せ替え作業が出来るため、従来のように狭い空間で無理な姿勢を要しないで洗濯機４の据付作業が出来る。
【００３３】
また、洗濯機４の設置位置に関わらず排水受けパン３に連結される排水口６の設置位置の自由度が確保され、配水系の設計自由度が向上する。
【００３４】
尚、前記実施形態では、移動手段として、水受けパン２の４隅にキャスター８等の車輪を用いた場合の一例について説明したが、他の移動手段としては、キャタピラ或いは球体を回転自在に支持したような回転手段や、支持レールに沿って水受けパン２を引き出し可能に構成したような移動手段であっても良く、他の種々の移動手段を用いることが出来る。
【００３５】
尚、水受けパン２の前面側（図２及び図３の左側）にストッパ手段となるゴムや樹脂製の脚部材を設け、奥側（図２及び図３の右側）に移動手段となる車輪を設けることも出来る。この場合、水受けパン２の前面側を持ち上げつつ奥側の車輪を設置床面７上（或いは、水受けパン用レール９上）で転がして洗濯機４を載置した水受けパン２を比較的容易に移動することが出来る。
【００３６】
次に図５を用いて本発明に係る洗濯機用防水パンの第２実施形態の構成について説明する。図５（ａ），（ｂ）は本発明に係る洗濯機用防水パンの第２実施形態の構成を説明する斜視説明図及び断面説明図である。尚、前記第１実施形態と同様に構成したものは同一の符号を付して説明を省略する。
【００３７】
本実施形態では、図５に示すように、設置床面７に排水受けパン３が固定されており、該排水受けパン３が排水口６に連結されている。また、洗濯機４を載置する水受けパン２が排水受けパン３と分離されて、設置床面７に対して移動可能に設けられている。
【００３８】
水受けパン２の底面２ｂの略中央部には円形の排水開口部２ａが形成されており、該水受けパン２が図５に示すホームポジションに位置する状態で該排水開口部２ａが排水受けパン３の開口範囲内に配置され、該水受けパン２の水が排水受けパン３の開口範囲内に流下するように構成されている。
【００３９】
図５（ａ）に示すように、水受けパン２の手前側には引き手２ｃが設けてあり、この引き手２ｃに手をかけて図５（ｂ）の左方向に引き出すことで水受けパン２に設けられたキャスター８が設置床面７上を転がって容易に移動することが出来る。
【００４０】
洗濯機４に装備された排水管５は、水受けパン２の奥側に形成された排水管逃げ部２ｄを通って排水受けパン３の開口範囲内で且つ水受けパン２の下部に配置され、排水口６に設けられたエルボ５ａに接続されてクリップ等の係止部材により係止されている。
【００４１】
水受けパン２が図５（ｂ）の左右方向に移動する際に伸縮自在の蛇腹ホースからなる排水管５は水受けパン２の排水管逃げ部２ｄにガイドされて排水受けパン３の開口範囲内で且つ水受けパン２の下部に収まるように捌かれる。
【００４２】
尚、本実施形態では水受けパン２に設けられたキャスター８が直に設置床面７上を転がる構成としたが、前記第１実施形態と同様に設置床面７上に取り付けた水受けパン用レール９上をキャスター８が転がる構成として、水受けパン２と排水受けパン３との位置決めを行っても良い。他の構成は前記第１実施形態と同様に構成され、同様の効果を得るものである。
【００４３】
次に図６を用いて本発明に係る洗濯機用防水パンの他の実施形態の構成について説明する。図６（ａ）は本発明に係る洗濯機用防水パンの第３実施形態の構成を説明する平面説明図、図６（ｂ），（ｃ）は本発明に係る洗濯機用防水パンの第４実施形態の構成を説明する平面説明図及び断面説明図、図６（ｄ）は本発明に係る洗濯機用防水パンの第５実施形態の構成を説明する平面説明図である。尚、前記各実施形態と同様に構成したものは同一の符号を付して説明を省略する。
【００４４】
前記各実施形態では、排水口６が洗濯機４を設置するスペースの最奥側に配置された場合の一例について説明したが、図６に示す第３〜第５実施形態では、排水口６が洗濯機４を設置するスペースの中間部或いは手前側に配置された場合の一例である。
【００４５】
図６（ａ）に示す第３実施形態では、排水口６が洗濯機４を設置するスペースの中間部に配置され、該排水口６に連結された排水受けパン３が設置床面７に固定されている。洗濯機４を載置すると共に排水受けパン３と分離された水受けパン２にはキャスター８が取り付けられており、設置床面７上をキャスター８が転がって水受けパン２が設置床面７に対して移動可能に設けられている。
【００４６】
水受けパン２の底面２ｂの中間部には方形状の排水開口部２ａが形成されており、該水受けパン２が図６（ａ）に示すホームポジションに位置する状態で該排水開口部２ａが排水受けパン３の開口範囲内に配置され、該水受けパン２の水が排水受けパン３の開口範囲内に流下するように構成されている。
【００４７】
本実施形態では、水受けパン２の少なくとも奥側のキャスター８が排水受けパン３の外側を通過し得るように構成されており、水受けパン２を手前側に引き出す際にキャスター８の走行路を排水受けパン３が干渉しないように構成されている。他の構成は前記各実施形態と同様に構成され、同様な効果を得ることが出来る。
【００４８】
図６（ｂ），（ｃ）に示す第４実施形態でも、排水口６が洗濯機４を設置するスペースの中間部に配置され、該排水口６に連結された排水受けパン３が設置床面７に固定されている。
【００４９】
洗濯機４を載置すると共に排水受けパン３と分離された水受けパン２の手前側（図６（ｂ）の下側左右）と、奥側で排水受けパン３が無い側（図６（ｂ）の左上）との３点にはキャスター８が取り付けられており、水受けパン２の奥側で排水受けパン３が有る側（図６（ｂ）の右上）の１点にはキャスター８を取り付けず、該水受けパン２の下面２ｅが平坦面を有して構成されている。
【００５０】
一方、水受けパン２が図６（ｂ）に示すホームポジションに位置する状態で、該水受けパン２の奥側で排水受けパン３が有る側（図６（ｂ）の右上）に形成された平坦面からなる下面２ｅに対応する設置床面７の表面上にはキャスター８の高さ寸法に応じた高さを有する台座１４が固定されており、設置床面７上を水受けパン２の３点に設けられたキャスター８が転がると共に、設置床面７に固定された台座１４上を水受けパン２の下面２ｅが摺動して水受けパン２が設置床面７に対して移動可能に設けられている。
【００５１】
水受けパン２の底面２ｂの中間側端部には方形切欠き状の排水開口部２ａが形成されており、該水受けパン２が図６（ｂ）に示すホームポジションに位置する状態で該排水開口部２ａが排水受けパン３の開口範囲内に配置され、該水受けパン２の水が排水受けパン３の開口範囲内に流下するように構成されている。
【００５２】
設置床面７に固定される台座１４の表面及び水受けパン２の下面２ｅは摺動する際の摩擦抵抗が小さくなるように構成すれば好ましく、例えば、互いの接触面積が小さくなるように台座１４の先端部を円弧状、台形状、円錐状或いは角錐状としたり、合成樹脂や他の種々の低摩擦部材を少なくとも表面に設けることでも良い。
【００５３】
本実施形態では、水受けパン２を手前側に引き出す際に該水受けパン２の３点のキャスター８が設置床面７上を転がると共に、水受けパン２の下面２ｅが設置床面７に固定される台座１４の表面に摺動しつつ移動する。そして、水受けパン２の下面２ｅが台座１４を通過した後は、水受けパン２の３点のキャスター８により水受けパン２がそのままの状態で安定して支持されつつ移動出来るように重量バランスが設定されている。
【００５４】
本実施形態では、排水口６が洗濯機４を設置するスペースの中間部に配置され、更に水受けパン２の底面２ｂの中間側端部に方形切欠き状の排水開口部２ａが形成されているので、洗濯機４の排水管５を排水口６のエルボ５ａに接続することが容易に出来る。他の構成は前記各実施形態と同様に構成され、同様な効果を得ることが出来る。
【００５５】
図６（ｄ）に示す第５実施形態は、図６（ｂ），（ｃ）に示す第４実施形態の変形例であり、排水口６が洗濯機４を設置するスペースの手前側付近に配置され、更に水受けパン２の底面２ｂの中間側端部に比較的幅広の方形切欠き状の排水開口部２ａが形成されたものである。これにより、前記第４実施形態よりも更に容易に洗濯機４の排水管５を排水口６のエルボ５ａに接続することが出来る。他の構成は前記各実施形態と同様に構成され、同様な効果を得ることが出来る。
【００５６】
【発明の効果】
本発明は、上述の如き構成と作用とを有するので、洗濯機を載置した水受けパンを設置床面に対して移動して洗濯機を排水受けパンから容易に退避させることが出来、排水口や洗濯機下部等の清掃やメンテナンスが容易に出来る。また、洗濯機の据付や撤去にも有利であり、排水管の芯出しは正確な芯出しを要求しないため設置誤差を許容することが出来、施工性を向上することが出来る。
【００５７】
洗濯機を載置した水受けパンがホームポジションに位置する状態で、該水受けパンの水が排水受けパンの開口範囲内に流下するように配置されるため、分離された水受けパンで受けた漏水、飛散水或いは結露水等の洗濯機の排水管以外からの水を排水受けパンが受け、該排水受けパンに連結された排水口に排水することが出来る。
【図面の簡単な説明】
【図１】本発明に係る洗濯機用防水パンの第１実施形態の構成を示す斜視説明図である。
【図２】本発明に係る洗濯機用防水パンの第１実施形態の構成を示す断面説明図である。
【図３】本発明に係る洗濯機用防水パンの第１実施形態の構成を示す断面説明図である。
【図４】（ａ）は第１実施形態において洗濯機の排水管からの排水を受ける排水受けパンと、洗濯機を載置し、洗濯機の排水管以外からの水を受ける水受けパンとの位置決めを行う位置決め手段及びストッパ手段の構成を示す斜視説明図、（ｂ）は（ａ）のＡ−Ａ断面説明図である。
【図５】（ａ），（ｂ）は本発明に係る洗濯機用防水パンの第２実施形態の構成を説明する斜視説明図及び断面説明図である。
【図６】（ａ）は本発明に係る洗濯機用防水パンの第３実施形態の構成を説明する平面説明図、（ｂ），（ｃ）は本発明に係る洗濯機用防水パンの第４実施形態の構成を説明する平面説明図及び断面説明図、（ｄ）は本発明に係る洗濯機用防水パンの第５実施形態の構成を説明する平面説明図である。
【符号の説明】
１…洗濯機用防水パン
２…水受けパン
２ａ…排水開口部
２ｂ…底面
２ｃ…引き手
２ｄ…排水管逃げ部
２ｅ…下面
３…排水受けパン
３ａ…底面
４…洗濯機
５…排水管
５ａ…エルボ
６…排水口
７…設置床面
８…キャスター
９…水受けパン用レール
９ａ…スロープ
９ｂ…起立片
９ｂ１…孔
９ｃ…起立片
９ｄ…キャスター受け溝
１０…ピン
１１…緩衝部材
１２…ビス
１３…スリット
１４…台座
【図１】
2004256999.tif 000003
【図２】
2004256999.tif 000004
【図３】
2004256999.tif 000005
【図４】
2004256999.tif 000006
【図５】
2004256999.tif 000007
【図６】
2004256999.tif 000008